(57)【特許請求の範囲】
【請求項１】
熱を加えることによって接着機能を発揮する接着糸を経糸若しくは緯糸に用いで織地を形成し、この織地を手動によって織地の面方向に力を加えて少なくとも前記経糸を蛇行させ、経糸と緯糸とが疎密となるように織目を変形して崩し、熱を加えることで前記接着糸による接着機能によってこの崩した織目状態を接着固定し、この織目を崩して表現する織地の地模様部分を、予め織地の地色と異なる色に染めるか若しくは、予め織地の地色と異なる色に染めた糸を使用して構成して前記織目による柄を目立たせるようにすることを特徴とする織物における織目柄形成方法。
【請求項２】
前記接着糸単独で前記経糸若しくは緯糸とせず、前記経糸若しくは緯糸を形成する糸に、前記接着糸を撚る若しくは沿わせて、前記接着糸を前記経糸若しくは緯糸に用いた構成としたことを特徴とする請求項１記載の織物における織目柄形成方法。
【請求項３】
前記緯糸に前記接着糸を用いたことを特徴とする請求項１，２のいずれか１項に記載の織物における織目柄形成方法。
【請求項４】
前記接着糸は、熱を加えることで接着剤が溶け、この接着剤により糸同志を接着固定する前記接着機能を発揮する加工糸としたことを特徴とする請求項１〜３のいずれか１項に記載の織物における織目柄形成方法。
【発明の詳細な説明】
【０００１】
【発明の属する技術分野】
本発明は、織物における織目柄形成方法に関するものである。
【０００２】
【従来の技術及び発明が解決しようとする課題】
本発明は、ほつれ防止，糸抜け防止や裾上げテープとして機能させるために用いられている接着糸に着目し、この接着糸を利用して織目を規則的あるいは不規則に崩し、これを接着糸による接着機能によって固定することで、この織目柄を織地の地模様として表現でき、簡単な手法で複雑な技法を要さず、例えば任意の柄を任意の位置に形成できる全く新しい手法に基づく画期的な織物における織目柄形成方法を提供することを目的としている。
【０００３】
【課題を解決するための手段】
添付図面を参照して本発明の要旨を説明する。
【０００４】
熱を加えることによって接着機能を発揮する接着糸を経糸若しくは緯糸に用いで織地を形成し、この織地を手動によって織地の面方向に力を加えて少なくとも前記経糸を蛇行させ、経糸と緯糸とが疎密となるように織目を変形して崩し、熱を加えることで前記接着糸による接着機能によってこの崩した織目状態を接着固定し、この織目を崩して表現する織地の地模様部分を、予め織地の地色と異なる色に染めるか若しくは、予め織地の地色と異なる色に染めた糸を使用して構成して前記織目による柄を目立たせるようにすることを特徴とする織物における織目柄形成方法に係るものである。
【０００５】
また、前記接着糸単独で前記経糸若しくは緯糸とせず、前記経糸若しくは緯糸を形成する糸に、前記接着糸を撚る若しくは沿わせて、前記接着糸を前記経糸若しくは緯糸に用いた構成としたことを特徴とする請求項１記載の織物における織目柄形成方法に係るものである。
【０００６】
また、前記緯糸に前記接着糸を用いたことを特徴とする請求項１，２のいずれか１項に記載の織物における織目柄形成方法に係るものである。
【０００７】
また、前記接着糸は、熱を加えることで接着剤が溶け、この接着剤により糸同志を接着固定する前記接着機能を発揮する加工糸としたことを特徴とする請求項１〜３のいずれか１項に記載の織物における織目柄形成方法に係るものである。
【０００８】
【発明の実施の形態】
好適と考える本発明の実施の形態（発明をどのように実施するか）を、図面に基づいてその作用効果を示して簡単に説明する。
【０００９】
経糸若しくは緯糸に接着糸を用いて織地を形成する。
【００１０】
例えば緯糸全てを接着糸としたり、数本おきに緯糸として接着糸を用いる。
【００１１】
また、具体的には、例えば熱を加えることで溶けて接着剤となる細い接着糸と織物の構成糸とを撚った糸を例えば緯糸として用いる。
【００１２】
そして、手動や機械によって織地を面方向に引動或いは押動して、経糸と緯糸との織目を崩す。
【００１３】
例えば経糸に対して横方向から織地を引動して経糸を規則的に連続Ｓ字蛇行させて、図示したように経糸が規則的に疎密となるようにし、これによって緯糸も疎密となるようにして、織目を変形させる。この経糸，緯糸を蛇行させ疎密とすることで崩した織目状態を保持させるべく、織地に熱を加え、接着糸の接着機能によってこの織目状態を接着固定する。
【００１４】
このように織目が崩れることで表現される織目柄が織地の地模様として形成されることとなる。
【００１５】
また、この織目変形による地模様は、織地全体に施しても良いし、所定部分，所定範囲のみに施しても良く、またこの崩し方や崩し度合いによって様々な変わった柄を形成でき、また、この織目を崩して表現する地模様部分を予め染めるなどにして異色としておけば、一層この崩した織目による地模様が目立つこととなる。
【００１６】
【実施例】
本発明の具体的な実施例について図面に基づいて説明する。
【００１７】
本実施例では、接着糸を緯糸として使用して織地（例えば絹布）を形成する。具体的には、数本おきに緯糸として接着糸を用いる。
【００１８】
経糸に使用すると、衣服製品とした際、織地がこの接着糸の接着作用により硬くなり、着心地が悪くなるおそれがあるため、本実施例では、衣服が硬くならないように、緯糸の一部として使用している。
【００１９】
また、本実施例では、この接着糸単独で緯糸（或いは経糸）を構成させるのではなく、緯糸（或いは経糸）を構成する構成糸に細い接着糸を撚って接着糸を有する緯糸（或いは経糸）となるようにして、接着糸を緯糸（経糸）に用いた構成としている。
【００２０】
従って、絹布の場合は、絹糸に接着糸を撚った糸を緯糸としている。
【００２１】
従って、本実施例では、例え接着糸が細くても弱くても、接着糸を経糸や緯糸として用いることができ、また熱を加えることで接着糸自体が完全に溶けて接着剤となる接着糸を使用しても織物として何ら支障を生じない。また、撚っていることで均一な接着作用を果たすことができる。
【００２２】
そして、本実施例ではこの織地を手動や機械によって面方向に引動或いは押動して、経糸と緯糸との織目を崩す。
【００２３】
例えば図面に示すように、織地の縦方向に所定間隔を置いた位置と、この夫々の位置に対して横方向に所定間隔を置いて対向する位置とを押え込み、この夫々横方向に対向する押え込み位置を引動ポイントとして夫々横方向外方へ引動して所定本数ずつ経糸を規則的に連続Ｓ字状に蛇行させ、このような引動操作を隣り合う経糸郡に施すことで、隣り合うＳ字状に蛇行する経糸群がぶつかり合うように蛇行する位置では経糸が密となり、離れ合うように蛇行する部分は疎となり、経糸が規則的に前後左右に疎密となるようにし、これによって緯糸も疎密となるようにして、織目を変形させる。
【００２４】
即ち、例えばこのように引動操作することで織目が極めて密となる部分と、その間に織目が大まかとなって緩められ透けた疎の部分が形成されるように織目を崩す。
【００２５】
そして、このように織目を崩した後、この織地に熱を加え、接着糸の接着機能によってこの織目状態を接着固定（目止め）する。
【００２６】
このように織目が崩れることで表現される織目柄が織地の地模様として形成されることとなる。即ち、例えば絹布に対して簡単な方法で任意の斬新な地模様を表現できることとなる。
【００２７】
また、この織目変形による地模様は、手動によって不規則に形成しても良いし、略規則的に形成しても良いし、機械によって不規則に形成しても規則的に形成しても良く、予め機械による引動ポイント位置や引動加減をプログラム設定により、変更設定できるように構成し、この設定によって様々な形状の織目に変形形成しても良い。
【００２８】
また、この地模様は、織地全体に施しても良いし、所定部分，所定範囲のみに施しても良い。この崩し方や崩し度合いによって様々な変わった柄を形成でき、この柄が再び戻ったり、スリップしないように熱を加えるだけで簡単に目止めできるため、極めて簡単な工程で、複雑な技法を要せずして、任意の柄を任意の位置に形成することができる。
【００２９】
また、この織目を崩して表現する地模様部分を予め染めたり、染めた糸を使用して異色としておけば、一層この地模様が目立つこととなる。
【００３０】
例えば、前述のように連続Ｓ字蛇行させる経糸郡毎に予め異色に染めておくことで、一層この地模様は目立ち、非常に秀れたデザインを織地に施すことができることとなる。
【００３１】
また、前記接着糸は、所定温度以上の熱を加えることで糸に付着若しくは含浸させた接着剤が溶け出し、この接着剤によりその周辺の糸同志を接着固定するという接着機能を発揮する加工糸を使用しても良いが、本実施例では前述のように所定温度以上の熱を加えることで、接着糸自体が完全に溶けて接着剤となり、周辺の糸とこの接着糸を撚っていた糸とを接着固定する接着機能を発揮する既存の加工糸を使用している。
【００３２】
尚、本発明は、本実施例に限られるものではなく、各構成要件の具体的構成は適宜設計し得るものである。
【００３３】
【発明の効果】
本発明は上述のように構成したから、接着糸を利用して織目を規則的あるいは不規則に崩し、これを接着糸による接着機能によって固定することで、この織目柄を織地の地模様として表現でき、簡単な手法で複雑な技法を要さず、例えば任意の柄を任意の位置に形成できる画期的な織物における織目柄形成方法となる。
【００３４】
即ち、極めて簡易な方法にして、秀れたデザインを施すことができ、またそのデザインバリエーションも豊富となる極めて画期的なアイデアに基づく実用性に秀れた織物における織目柄形成方法となる。
【００３５】
また、本発明においては、織地を手動によって織地の面方向に力を加えて少なくとも前記経糸を蛇行させ、経糸と緯糸とが疎密となるように織目を変形して崩すため簡易な工程で一層秀れた地模様を形成でき、本発明を一層容易に実現でき、一層実用性に秀れた画期的な織物における織目柄形成方法となる。
【００３６】
また、本発明においては、織目を崩して表現する地模様部分を予め染めるなどにして異色としておけば、一層この地模様が目立つこととなる一層画期的な織物における織目柄形成方法となる。
【００３７】
また、請求項２記載の発明においては、例え接着糸が細くても弱くても、接着糸を経糸や緯糸として用いることができ、また熱を加えることで接着糸自体が完全に溶けて接着剤となる接着糸を使用しても織物として何ら支障を生じず、撚っていることで均一な接着作用を果たすことができる極めて画期的な織物における織目柄形成方法となる。
【００３８】
また、請求項３記載の発明においては、織地が硬くなりにくく、衣服製品（例えば着物）とした場合に着心地が悪くならないなど実用性に秀れた織物における織目柄形成方法となる。
【図面の簡単な説明】
【図１】  本実施例の完成状態の説明平面図である。
【図１】
0003667653.tif 000002